(57)【要約】【課題】チップの内部にばねを設け、ボールを内側から外側に付勢した塗布具において、ばねによるインキの流れの妨げを小さくし、インキの充填の際にチップ内部に空気が残ることなく、筆記の際のインキかすれを防止する。【解決手段】チップ１０の内部に設けられたばね１６の後端部に、ばねの巻き方向が傾斜している傾斜部３４、又はばねが変形している変形部が設けられて、傾斜部３４又は変形部が当接部と接触している。【選択図】　図３
2004142408.tif 000002
【特許請求の範囲】
【請求項１】
複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢する塗布具において、ばねの後端部にはばねの巻き方向が傾斜している傾斜部が設けられて、傾斜部が前記当接部と接触していることを特徴とする塗布具。
【請求項２】
前記ばねの傾斜部の傾斜角度は、３０〜５０°であることを特徴とする請求項１に記載の塗布具。
【請求項３】
ばねの後端側が塗布液流路内に設けられた当接部と接してばねが圧縮された状態では、傾斜部の傾斜角度は２０〜４０°であることを特徴とする請求項１又は２に記載の塗布具。
【請求項４】
複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢する塗布具において、ばねの後端側には変形部を有し、当該変形部が当接部と接触していることを特徴とする塗布具。
【請求項５】
前記変形部の近傍であって変形部よりも上流側の塗布液流路の投影面には、変形部の外形からはみ出す第１のはみ出し部を有し、変形部の外側には、コイルばねの外側に通じる第１隙間が設けられていることを特徴とする請求項４に記載の塗布具。
【請求項６】
コイルばねの変形部の内側には、その直近に位置するコイルばねの巻き円の外形から外側にはみ出す第２のはみ出し部を有し、変形部の内側からばねの外側に通じる第２隙間が設けられていることを特徴とする請求項４又は請求項５に記載の塗布具。
【請求項７】
前記第１のはみ出し部の面積と第２のはみ出し部の面積の合計は、０．０５ｍｍ２　以上であることを特徴とする請求項５又は６に記載の塗布具。
【請求項８】
前記変形部を軸方向から見た形状は、一対の長辺部を有して長辺部同士の距離が長辺の長さより短い形状、又は、周方向に凹凸状である形状であることを特徴とする請求項５〜７のいずれかに記載の塗布具。
【請求項９】
前記変形部を軸方向から見た形状は、一対の長辺部を有して長辺部同士の距離が長辺の長さより短い形状であり、さらに前記長辺部には内側に凹んでいる凹み部を有することを特徴とする請求項８に記載の塗布具。
【請求項１０】
コイルばねの変形部付近の形状は、変形部に向かって縮径することを特徴とする請求項６〜９のいずれかに記載の塗布具。
【請求項１１】
チップ本体の後端側には、内側に変形しているかしめ部を有し、前記かしめ部が当接部となることを特徴とする請求項１〜１０のいずれかに記載の塗布具。
【請求項１２】
複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢し、さらに、前記塗布具用チップを保持するチップ保持部材を有する塗布具において、チップ保持部材には当接部となる溝部を有し、ばねの後端部にはばねの巻き方向を垂直とした垂直巻き部が設けられて、前記垂直巻き部は前記溝部に係合していることを特徴とする塗布具。
【請求項１３】
複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢し、さらに、前記塗布具用チップを保持するチップ保持部材を有する塗布具において、チップ保持部材には当接部となる凸部を有し、ばねの後端側が前記凸部に当たって傾斜することを特徴とする塗布具。
【請求項１４】
ばねには密巻き部と粗巻き部を有し、密巻き部は中央部に位置していることを特徴とする請求項１〜１３のいずれかに記載の塗布具。
【請求項１５】
塗布具にはチップを保持するチップ保持部材を有し、チップ本体の後端側がチップ保持部材の内側に挿入されて、チップ保持部材とチップ本体が接続しており、さらに、ばねの後端側は増径していることを特徴とする請求項１〜１４のいずれかに記載の塗布具。
【発明の詳細な説明】
【０００１】
【発明の属する技術分野】
本発明は、ボールを有するボールペン、修正具、化粧具等の先端に設けられる塗布具用チップを用いた塗布具に関するものである。さらに詳しくは、前記ボールを後端側から付勢することにより、筆記の際にはスムーズな筆記性能を確保し、筆記しないときにはインキ漏れやインキのドライアップを防止する塗布具のチップに関するものである。
【０００２】
【従来の技術】
ボールペンなどの筆記部にボールを有する塗布具には、塗布部であるボールの周辺に、筆記に必要なインキを流出させるための隙間を有している。この隙間は塗布の際に必要なものであるが、この隙間のため問題となる場合がある。すなわち、隙間を通じて内部のインキが蒸発してインキの流動性が悪くなり、筆記時にかすれが発生する。また、隙間からインキが流出することにより、筆記時や携帯時などに周囲を汚してしまう。さらに、隙間から空気が入り込むことにより、筆記の際にカスレが発生したり、インキがインキタンク後方へ落ちてしまうインキドロップなどが起こってしまう。
【０００３】
上記の対策のため、チップの内部にばねを設けて、ボールを外側（先端側）に付勢したボールペンが知られている。
【０００４】
この出願の発明に関連する先行技術文献情報として次のものがある。
【特許文献１】
特開２０００−１０８５号公報
【特許文献２】
実開昭５５ー１７２１０４号公報
【特許文献３】
実開昭５７ー１９３５７８号公報
【０００５】
上記した従来技術のボールペンは、ボールペンチップの内部に設けられたコイル状のばねが圧縮して、ばねの先端側がボールの後端側と接触して、ボールを先端側に付勢している。
【０００６】
図１３は、従来技術のボールペン１００の先端部分を示した図であり、チップ１０１及びチップ保持部材１０３が示されている。そして、ボールペンチップ１０１にはインキの流路となる貫通孔１０５が設けられ、ばね１０６は貫通孔１０５に位置している。
また、チップ保持部材１０３の先端側は、チップ接続部１１１ｄを有し、ボールペンチップ１０１がチップ接続部１１１ｄ内に挿入して接続している。そして、チップ接続部１１１ｄの奥側には、チップ接続部１１１ｄよりも内径が小さい奥側孔部１１１ｃが設けられて、段部４０によって接続している。
さらに、ばね１０６の後端側に有する座面部１０８は段部４０と接触し、ばね１０６の先端側はボール１７と接触して、ばね１０６が圧縮され、ボール１７が先端側に付勢されている。
そして、インキの流路は、前記段部の孔を通過し、ばねが位置しているチップの内部を通り、さらに、ボールとチップの隙間に至る流路となる。そして、筆記の際にはボールの後端側から先端側に向かってインキが流出する。
【０００７】
【発明が解決しようとする課題】
前記した従来技術の、ボールペンチップ１０１の内部にばね１０６を設けてボール１７を内側から外側に付勢したボールペン１００では、ばね１０６はインキの流路に位置している。したがって、筆記の際には、インキの流れを妨げて、インキのかすれが発生する場合があった。また、インキの充填の際、又は、インキ充填後に遠心力より内部の空気を抜く際には、インキと空気が十分置換せず、チップ内部に空気が残ることがあり、筆記の際に空気がインキの流路に移動して、インキが排出せず、インキのかすれが発生する場合があった。
特に、図１３に示すように、ばね１０６のコイルの外側とチップとの隙間１２０の空気がインキと置換しにくいものであった。すなわち、従来技術のボールペン１００では、ばね１０６の後端側の座面部１０８と段部４０が接触して圧縮状態を維持しているので、座面部１０８と段部４０の間は隙間がほとんどない。したがって、ばねの隙間が大きくなければ空気が抜けにくく、空気が残りやすかった。
【０００８】
また、近年、ボール径が小さいものが多く採用されており、かかる場合には、チップの内径が小さくなってインキの流路が狭くなり、また、ばねの隙間が小さく、インキの充填が不十分となりやすい。
【０００９】
そこで、チップの内部にばねを設け、ボールを内側から外側に付勢した塗布具において、ばねによるインキの流れの妨げを小さくし、また、インキの充填の際、又は、インキ充填後に遠心力より内部の空気を抜く際に、チップ内部に空気が残ることなく、インキのかすれを防止することを課題とする。
【００１０】
【課題を解決するための手段】
そして、上記した目的を達成するための請求項１に記載の発明は、複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢する塗布具において、ばねの後端部にはばねの巻き方向が傾斜している傾斜部が設けられて、傾斜部が前記当接部と接触していることを特徴とする塗布具である。
ここで、「ばねの巻き方向が傾斜している」とは、概ねばねの一巻きを構成する面が変化して、変化する前後において角度を持つことであり、また、いいかえと、ばねの軸の方向が変化して、前後の軸同士が同一でなく角度を持つことである。
【００１１】
請求項１に記載の発明によれば、ばねは一連の塗布液流路の中に有しており、ばねの後端部には、ばねの巻き方向が傾斜している傾斜部が設けられ、ばねの後端側の傾斜部が塗布液流路内の当接部と接触しているので、ばねによる塗布液の流れの妨げが小さく、塗布液の充填の際にチップ内部に空気が残りにくく、塗布液のかすれを防止することができる。すなわち、傾斜部は、ばねの巻き方向が傾斜しているので、当接部と接触する場合には、傾斜部の一部分（最も後端の部分又は傾斜部の中途部）が接触して、ばね後端の全周には接触しない。したがって、塗布液流路の流れが良くなり、また、塗布液の充填の際、又は、塗布液充填後に遠心力より内部の空気を抜く際には、空気が置換されやすく、特にばねとチップとの隙間の空気が置換されやすくなる。
【００１２】
請求項２に記載の発明は、前記ばねの傾斜部の傾斜角度は、３０〜５０°であることを特徴とする請求項１に記載の塗布具である。
ここで、「傾斜角度」とは、前記したばねの一巻きを構成する面が変化し、変化する前後の２つの面が交わる角度のことであり、また、いいかえると、ばねの軸の方向が変化し、変化する前後の２つの軸が交わる角度のことである。
【００１３】
請求項２に記載の発明によれば、ばねの傾斜部の傾斜角度は、３０〜５０°であるので、傾斜部が当接部に接触して軸方向に圧縮を受けたときに、傾斜部のコイルがつぶれることなく、傾斜角度が小さくなるように傾斜部が変形する。また、ばねの圧縮時には、ばねと当接面との隙間を確保することができる。
【００１４】
請求項３に記載の発明は、ばねの後端側が塗布液流路内に設けられた当接部と接してばねが圧縮された状態では、傾斜部の傾斜角度は２０〜４０°であることを特徴とする請求項１又は２に記載の塗布具である。
【００１５】
請求項３に記載の発明によれば、ばねの後端側が塗布液流路内に設けられた当接部と接してばねが圧縮された状態では、傾斜部の傾斜角度は２０〜４０°であるので、ばねの圧縮時に、無理なく、ばねと当接面との隙間を確保することができる。
【００１６】
請求項４に記載の発明は、複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢する塗布具において、ばねの後端側には変形部を有し、当該変形部が当接部と接触していることを特徴とする塗布具である。
ここで、「変形部」とは、コイルばねの形状とは異なる形状の部分であることを意味し、略直線状でも構わない。変形部の具体例として、三角形などの多角形の形状や、ばね線が軸方向と平行に向いている場合や、ばね線が軸方向と垂直に向いている場合などがある。
【００１７】
請求項４に記載の発明によれば、ばねは一連の塗布液流路の中にあり、ばねの後端側には、変形部が設けられ、ばねの後端側の変形部が塗布液流路内の当接部と接触しているので、ばねによる塗布液の流れの妨げが小さく、塗布液の充填の際にチップ内部に空気が残りにくく、塗布液のかすれを防止するがことできる。すなわち、変形部は、コイルばねの形状とは異なる形状であり、変形部の一部が当接部と接触するので、ばね後端の全周には接触しない。したがって、塗布液流路の流れが良くなり、また、塗布液の充填の際、又は、塗布液充填後に遠心力より内部の空気を抜く際には、空気が置換されやすく、特にばねとチップとの隙間の空気が置換されやすくなる。
【００１８】
請求項５に記載の発明は、前記変形部の近傍であって変形部よりも上流側の塗布液流路の投影面には、変形部の外形からはみ出す第１のはみ出し部を有し、変形部の外側には、コイルばねの外側に通じる第１隙間が設けられていることを特徴とする請求項４に記載の塗布具である。
【００１９】
請求項５に記載の発明によれば、変形部の外側に、ばねの外側に通じる第１隙間が設けられているので、塗布液の充填の際、又は、塗布液充填後に遠心力より内部の空気を抜く際には、塗布液の充填時にばねの外側に充填しやすく、充填後にばね付近に空気が残りにくい。
【００２０】
請求項６に記載の発明は、コイルばねの変形部の内側には、その直近に位置するコイルばねの巻き円の外形から外側にはみ出す第２のはみ出し部を有し、変形部の内側からばねの外側に通じる第２隙間が設けられていることを特徴とする請求項４又は請求項５に記載の塗布具である。
【００２１】
請求項６の発明によれば、変形部の内側からばねの外側に通じる第２隙間が設けられているので、変形部の内側からばねの外側への塗布液の流れが容易となり、塗布液の充填時にばねの外側に充填しやすく、充填後にばね付近に空気が残りにくい。
【００２２】
請求項７に記載の発明は、前記第１のはみ出し部の面積と第２のはみ出し部の面積の合計は、０．０５ｍｍ２　以上であることを特徴とする請求項５又は６に記載の塗布具である。
【００２３】
請求項７に記載の発明によれば、第１のはみ出し部の面積と第２のはみ出し部の面積の合計が、０．０５ｍｍ２　以上であり、塗布液の流路を確保することができる。さらに、第１のはみ出し部の面積と第２のはみ出し部の面積の合計が０．２ｍｍ２　以上であることが望ましい。
【００２４】
請求項８に記載の発明は、前記変形部を軸方向から見た形状は、一対の長辺部を有して長辺部同士の距離が長辺の長さより短い形状、又は、周方向に凹凸状である形状であることを特徴とする請求項５〜７のいずれかに記載の塗布具である。
ここで、「周方向に凹凸状」とは、中心からの距離が特に長い部分と特に短い部分を有する形状である。
【００２５】
請求項８に記載の発明によれば、一対の長辺部を有して長辺部同士の距離が長辺の長さより短い形状、又は、周方向に凹凸状である形状であるので、第１隙間と第２隙間を設けやすい。
【００２６】
請求項９に記載の発明は、前記変形部を軸方向から見た形状は、一対の長辺部を有して長辺部同士の距離が長辺の長さより短い形状であり、さらに前記長辺部には内側に凹んでいる凹み部を有することを特徴とする請求項８に記載の塗布具である。
【００２７】
請求項９に記載の発明によれば、凹み部を有し、変形部の形状の面積が小さくなるので、前記第１隙間をより大きくすることができる。
【００２８】
請求項１０に記載の発明は、コイルばねの変形部付近の形状は、変形部に向かって縮径することを特徴とする請求項６〜９のいずれかに記載の塗布具である。
【００２９】
請求項１０に記載の発明によれば、コイルばねの変形部付近の形状は、変形部に向かって縮径するので、ばねの外径が大きい場合でも、第２隙間をより大きくすることができる。
【００３０】
請求項１１に記載の発明は、チップ本体の後端側には、内側に変形しているかしめ部を有し、前記かしめ部が当接部となることを特徴とする請求項１〜１０のいずれかに記載の塗布具である。
【００３１】
請求項１１の発明によれば、チップ本体の後端側に内側に変形しているかしめ部を有し、前記かしめ部が当接部となって前記ばねと接触するので、チップ本体のボールハウスに保持されたボールと、かしめ部により、ばねを圧縮することができる。したがって、チップ本体だけで、ばねを圧縮してボールを付勢することができ、ボールペンを組み立てしやすい。
【００３２】
請求項１２に記載の発明は、複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢し、さらに、前記塗布具用チップを保持するチップ保持部材を有する塗布具において、チップ保持部材には当接部となる溝部を有し、ばねの後端部にはばねの巻き方向を垂直とした垂直巻き部が設けられて、垂直巻き部が前記溝部に係合していることを特徴とする塗布具である。
【００３３】
請求項１２の発明によれば、チップ保持部材の溝部に、ばねの後端部の垂直巻き部が係合しているので、ばね後端に隙間ができ、塗布液流路の流れが良くなり、また、塗布液充填の際に空気が置換されやすく、特にばねとチップとの隙間の空気が置換されやすくなる。
【００３４】
請求項１３に記載の発明は、複数の巻きを有するコイルばねと、ボール及びチップ本体を有する塗布具用チップを有し、前記チップ本体の先端側にはボールハウスが設けられ、ボールはボールハウスに回転可能に保持され、前記ばねは一連の塗布液流路の中にあり、ばねの後端側が塗布液流路内に設けられた当接部と接してばねが圧縮され、ばねの圧縮力によりボールを先端側に付勢し、さらに、前記塗布具用チップを保持するチップ保持部材を有する塗布具において、チップ保持部材には当接部となる凸部を有し、ばねの後端側が前記凸部に当たって傾斜することを特徴とする塗布具である。
【００３５】
請求項１３に記載の発明によれば、ばねは一連の塗布液流路の中にあり、ばねの後端側が当接部となるチップ保持部材の凸部と接触しているので、ばねによる塗布液の流れの妨げが小さく、インキの充填の際にチップ内部に空気が残りにくく、インキのかすれを防止することができる。すなわち、ばねの後端側は凸部に接触して傾斜する。そして、ばねの後端側は凸部が当接部となって接触して、ばね後端の全周には接触しない。したがって、塗布液流路の流れが良くなり、また、塗布液の充填の際、又は、塗布液充填後に遠心力より内部の空気を抜く際には、空気が置換されやすく、特にばねとチップとの隙間の空気が置換されやすくなる。
【００３６】
請求項１４に記載の発明は、ばねには密巻き部と粗巻き部を有し、密巻き部は中央部に位置していることを特徴とする請求項１〜１３のいずれかに記載の塗布具である。
ここで、「中央部」とは、両端付近でないということであり、いずれかの端部に寄った位置でも良く、さらに両端から等距離となる位置に限定されるものでない。また、「密巻き部」は、粗巻き部に対して、ばねの間隔が小さいという意味であり、また、密巻き部は密着巻きのように隙間が無くてもよく、隙間があっても良い。
【００３７】
請求項１４に記載の発明によれば、ばねには密巻き部と粗巻き部を有し、密巻き部は中央部に位置している。したがって、本発明で採用するばねは、密巻き部の剛性が高いため、つかみやすいので扱いやすく、また、圧縮の際には密巻き部は剛性が高いので撓みが少なくなるので、ボールを先端方向に付勢することができ、液漏れし難くなる。さらに、密巻き部を有しているので、複数のばねをまとめて扱う際には、ばね同士が絡みにくい。
【００３８】
請求項１５に記載の発明は、塗布具にはチップを保持するチップ保持部材を有し、チップ本体の後端側がチップ保持部材の内側に挿入されて、チップ保持部材とチップ本体が接続しており、さらに、ばねの後端側は増径していることを特徴とする請求項１〜１４のいずれかに記載の塗布具である。
【００３９】
請求項１５に記載の発明によれば、塗布具にはチップを保持するチップ保持部材を有し、チップ本体の後端側がチップ保持部材の内側に挿入されて、チップ保持部材とチップ本体が接続しており、さらに、ばねの後端側は増径しているので、圧縮時におけるばねの後端側の撓みを防止することができる。
【００４０】
【発明の実施の形態】
以下さらに本発明の具体的実施例について説明する。図１は、本発明の第１の実施形態におけるボールペンの正面図と正面から見た断面図である。図２は、（ａ）が、本発明の第１の実施形態におけるボールペンチップ本体の正面から見た断面図であり、（ｂ）がばねの正面図である。図３は、本発明の第１の実施形態におけるボールペンの先端部分の正面から見た断面図である。図４は、本発明の第１の実施形態におけるボールペンの図であり、（ａ）が、ばねの無負荷状態での斜視図であり、（ｂ）が、ばねと先栓の接触部分の斜視図である。図５は、本発明の第２の実施形態におけるボールペンの図であり、（ａ）が、ばねの無負荷状態での後端側の斜視図であり、（ｂ）が、ばねと先栓の接触部分を示した斜視図であり、（ｃ）が、ばねと先栓の接触部分を示した断面図である。図６は、本発明の第３の実施形態におけるボールペンの図であり、（ａ）が、ばねの無負荷状態での斜視図であり、（ｂ）が、ばねと先栓の接触部分の斜視図である。図７は、本発明の第４の実施形態におけるボールペンの図であり、（ａ）が、ばねの無負荷状態での斜視図であり、（ｂ）が、ばねと先栓の接触部分の斜視図である。図８は、本発明の第５の実施形態におけるボールペンの図であり、（ａ）が、ばねの無負荷状態での斜視図であり、（ｂ）が、ばねと先栓の接触部分の斜視図である。図９は、本発明の第６の実施形態におけるボールペンの図であり、（ａ）が、ばねの無負荷状態での後端側の斜視図であり、（ｂ）が、ばねと先栓の接触部分を示した斜視図であり、（ｃ）が、ばねと先栓の接触部分を示した断面図である。図１０は、本発明の第１の実施形態の変形例におけるボールペンの先端部分の正面から見た断面図である。図１１は、本発明の第１の実施形態の変形例におけるボールペンの図であり、（ａ）が、ばねの無負荷状態での斜視図であり、（ｂ）が、ばねと先栓の接触部分の斜視図である。図１２は、本発明の第７の実施形態におけるボールペンチップ本体の正面から見た断面図である。図１４は、本発明の第８の実施形態におけるばねの斜視図である。図１５は、本発明の第８の実施形態におけるばねの後端側からみた正面図である。図１６は本発明の第８の実施形態におけるばね及び先栓の平面図であり、（ａ）は後端側からみた正面図、（ｂ）はＡＡ面における断面図、（ｃ）はＢＢ面における断面図である。図１７は本発明の第９の実施形態におけるばね及び先栓の平面図であり、（ａ）は後端側からみた正面図、（ｂ）はＡＡ面における断面図、（ｃ）はＢＢ面における断面図である。図１８〜図２４は、変形部を形状を変えたばねの正面図である。図２５は、本発明の第１０の実施形態におけるばね及び先栓の平面図であり、（ａ）は後端側からみた正面図、（ｂ）はＡＡ面における断面図、（ｃ）はＢＢ面における断面図である。
【００４１】
本発明における第１の実施形態におけるボールペン（塗布具）１は、図１に示されるものであり、ボールペンチップ（塗布具用チップ）１０、先栓１１及び筒部材１２を有している。なお、図１においては、インキ（塗布液）を省略して図示している。
また、本願におけるボールペン（塗布具）１は、レフィールなどと呼ばれており、通常、筒状の保持具などの中に入れられて使用するものであるが、本願では、これらのいずれの場合においてもボールペン（塗布具）として説明する。
そして、図１における下側（ボールペンチップ側）を先端側として説明する。
【００４２】
筒部材１２は両端に開口部１２ａ，１２ｂを有する円筒状である。そして、筒部材１２は後述するように、インキ（塗布液）が充填されるものであり、塗布液収納部となる。
また、先栓１１は、両端に開口部１１ａ，１１ｂを有する円筒状である。また、図３に示されるように、先栓１１の先端側（図３において下側）はチップ接続部１１ｄを有し、チップ接続部１１ｄの内径は、先栓１１の奥側孔部１１ｃよりも大きい。また、先栓１１の奥側孔部１１ｃとチップ接続部１１ｄの接続部には、段部４０を有している。
【００４３】
ボールペンチップ１０は、図２に示されるように、ボールペンチップ本体１５、ばね１６及びボール１７を有している。
ボールペンチップ本体１５は、外観的には先端側が略円錐形状であり、後端側が略円柱形状であり、全体では、これらを軸方向に結合させた、ロケットような形状であり、先端側には円錐部２５を有し、円錐部２５よりも後端側の中程には円筒部２６を有している。さらに、円筒部２６の後端側は、やや外径が縮径している結合段部２６ａを有している。また、内側にはボールハウス２０、中心孔２１及びバック孔２２が設けられている。さらに、バック孔２２の後端側は、開口部２３を有している。
【００４４】
ボールハウス２０は、図２（ａ）に示されるように、ボールペンチップ本体１５の先端側に位置する、後端側に向かって開けられた孔である。
ボールハウス２０の中心孔２１は、ボールハウス２０の内径よりも小さな内径の丸孔であり、ボールハウス２０の後端側で連通している。そして、中心孔２１の内径は、ボール１７の外径の約半分であり、約０．２５ｍｍである。
【００４５】
バック孔２２は中心孔２１の後端側で連通する段状の丸孔である。そして、先端側ほど内径が小さくなるものであり、内径が変わる部分はテーパー部２７を有してなだらかにつながっている。バック孔２２の内径は、中心孔２１の内径よりも大きい。
【００４６】
上記のように構成されているので、ボールペンチップ本体１５は、ボールハウス２０の後端側に中心孔２１が位置し、さらに中心孔２１の後端側にバック孔２２が位置しており、ボールハウス２０、中心孔２１及びバック孔２２は連通している。また、これらの孔は、ボールペンチップ本体１５の中心軸と同じ軸を中心とする位置に設けられている。
【００４７】
ボール１７は球状であり、ボールペンチップ本体１５の先端側であるボールハウス２０に位置しており、ボール１７の外径は、ボールハウス２０の内径よりやや小さく、本発明の実施形態では０．５ｍｍである。
【００４８】
次に、ばね１６について説明する。ばね１６は、図２（ｂ）に示されるものであり、コイルばね部３０と棒状部３１を有している。そして、ばね１６は、後述するようにボール１７を先端側に付勢して、筆記の際にはボール１７とボールハウス２０との間の隙間を確保し、使用しない場合には隙間からのインキの流出防止などを行う。また、ばね１６の材質はステンレスである。
【００４９】
コイルばね部３０は、粗巻き部３２と密巻き部３３を有している。
密巻き部３３は、コイルばね部３０の略中央で密着巻きされている部分である。そして、本実施例での密巻き部３３の巻き数は７巻である。
粗巻き部３２は、密巻き部３３の両側に有しており、比較的ピッチ角の小さい円筒コイルばねである。粗巻き部３２を圧縮すると付勢力を発生させる。また、粗巻き部３２の後端側は、図２（ｂ）のように、他の部分より太い増径部３５を有している。ばね１６の密巻き部３３と粗巻き部３２は、ピッチを変えながら巻いて作られる。
【００５０】
さらに、ばね１６の増径部３５の後端側であり、ばね１６の最も後端側には、図２（ｂ）に示されるように、傾斜部３４が設けられている。傾斜部３４は、ばね１６のコイルばね部３０に対して傾斜して巻かれている部分である。そして、傾斜部３４の一巻きを構成する面と、コイルばね部３０の一巻きを構成する面との間で角度αを有している。また、傾斜部３４の軸方向と、コイルばね部３０の先端側の軸は交差し、その角度はαとなる。本発明の第１の実施形態における角度αは、４０°であり、３０°〜５０°であることが望ましい。
また、後述するように、ボールペン１が組み立てられて、ばね１６が圧縮した状態では、前記角度がβに変化する。すなわち、傾斜部３４の一巻きを構成する面と、コイルばね部３０の一巻きを構成する面と角度βは、図４に示される様に角度αより小さく、本発明の第１の実施形態における角度βは、２６°であり、さらに、２０°〜４０°であることが好ましい。
【００５１】
棒状部３１は、図２（ｂ）に示されるように、コイルばね部３０と連続し、直線状となっている部分である。そして、棒状部３１は、コイルばね部３０から突出して接続しており、軸心上に位置している。また、棒状部３１の先端部分は棒状部先端部分３１ａであり、後述するように、ボール１７と接触して押圧し、ボール１０を先端側に付勢する部分となる。
【００５２】
次に、ボールペン１の組み立て方法について説明する。
まず、ボールペンチップ本体１５のボールハウス２０に先端側からボール１７を挿入する。そして、ボールペンチップ本体１５の先端を内側に向かって変形するようにかしめる。変形後のボールハウス２０の先端側の開口は、ボール１７の外径よりも小さい状態となり、ボール１７は回転可能な状態でボールハウス２０に保持される。なお、ボール１７は、ボールハウス２０内で軸方向にわずかに移動可能となっている。
【００５３】
次に、ばね１６をボールペンチップ本体１５の後端側の開口部２３から、棒状部３１側を先頭として挿入する。そして、さらに挿入すると、ばね１６はやや撓みながら進んでいく。
【００５４】
本発明の実施形態においては、密巻き部３３が設けられているので、密巻き部３３によってばね１６をつかみやすいため、扱いやすく容易に挿入できる。特に、密巻き部３３は密着巻きであるので、さらに扱いやすい。また、ばね１６を部品としてまとめて扱う場合には、密巻き部３３によって、ばね１６同士が絡むことがない。
【００５５】
さらに、ばね１６を挿入すると、棒状部３１の棒状部先端部分３１ａが、中心孔２１を通って、ボール１７の後端側に接触する。本実施形態においては、ばね１６のコイルばね部３０の先端側と、バック孔２２に有するコイルばね誘導部３７によって、棒状部先端部分３１ａが軸上を進むので、棒状部先端部分３１ａが中心孔２１に容易に到達する。
【００５６】
そして、先に述べた先栓１１にボールペンチップ１０を後端側から挿入して固定する。この状態が図３に示される。
この状態では、ばね１６は、先栓１１の段部４０とボール１７によって圧縮されてボール１７を付勢している。また、先栓１１は、ボールペンチップ１０を保持するものであり、チップ保持部材となる。そして、段部４０は、ばね１６と接触し、本実施形態では当接部となる。そして、前記当接部は、先栓１１の内側であり、インキの流路となる。
【００５７】
ばね１６と先栓１１の接触の状態を図４を用いて説明する。ばね１６の傾斜部３４の最も後端側である傾斜部後端４１が、先栓１１の段部４０に接触している。そして、ばね１６が圧縮されており、傾斜部後端４１側だけが圧縮方向に変形するため、傾斜部３４の傾きが小さくなる。したがって、図４に示されるように、圧縮された状態の傾斜部３４の角度βは、圧縮されない状態の傾斜部３４の角度αよりも小さくなる。
そして、本発明の第１の実施形態における角度βは、２６°であり、傾斜部３４の傾斜部後端４１以外の部分は、先栓１１の段部４０に接触せず、したがって、傾斜部３４と段部４０には隙間４３を有している。
【００５８】
また、図３のように、ばね１６の先端側の棒状部先端部分３１ａがボール１７と接触しているため、ボール１７は、ばね１６によって先端側に付勢されている。
このように構成されているので、ボールペン１の携帯時に周囲を汚すことなく、また、筆記時の隙間を確保することができる。
【００５９】
そして、ボールペンチップ本体１５の結合段部２６ａの外径は、チップ接続部１１ｄの内径よりもやや大きく、ボールペンチップ本体１５は先栓１１に圧入して結合されている。
【００６０】
本発明の第１の実施形態では、ばね１６の増径部３５によって、圧縮時におけるばね１６の撓みを防止し、先栓１１の内部の孔の内径を大きくすることができる。すなわち、ボールペン１においては、ボールペンチップ本体１５の開口部２３よりも後端側では、先端側に比べてボールペンチップ本体１５の縮径部２６ａの厚みだけ内径が大きくなるが、ばね１６の増径部３５によって隙間を詰めることができるので、ばね１６が撓みにくい。また、ばね１６の後端側は段部４０で接触して、ばね１６を圧縮する関係上、ばね１６の後端側の外径は、先栓１１の奥側孔部１１ｃの内径よりも大きいことが必要である。一方、先栓１１の奥側孔部１１ｃの内径を小さくすると、ボールペン１の使用時に、インキが流出しくい。本発明の実施形態においては、増径部３５によって、先栓１１の奥側孔部１１ｃの内径をより大きくすることができ、インキが流出しやすい。
【００６１】
また、先栓１１の後端部を、筒部材１２の先端側の開口部１２ｂに挿入して接続する。そして、ボールペンチップ１０、先栓１１及び筒部材１２を結合し、筒部材１２の内部にインキを充填する。さらに、ボールペン１の先端側を外側、後端側を内側にして回転し、遠心力によってインキと空気を置換し、インキを先端側の先まで行き渡らせる。
本発明の実施形態においては、ばね１６の傾斜部３４と先栓１１の段部４０には隙間４３を有しているので、インキの流れが良くなり、また、インキの充填の際、又は、インキ充填後に遠心力より内部の空気を抜く際には、空気が置換されやすく、特にばねとチップとの隙間の空気が置換されやすくなる。さらに、上記した遠心力によりインキを充填する場合、空気との置換がよく、空気が残りにくくインキの充填がしやすい。
【００６２】
また、本発明の第１の実施形態におけるボールペン１のばね１６の傾斜部３４は、外径が大きいものであり、傾斜部後端４１が段部４０に接触するものであったが、傾斜部３４の外径が先栓１１の奥側孔部１１ｃの内径よりも大きければ、第１の実施形態よりも小さいものでもよい。
この場合は、図１０，図１１に示されるように、本発明の第１の実施形態とは異なり、傾斜部後端４１は段部４０よりも奥側に位置し、また、傾斜部後端４１よりも先端側の２カ所の中途部４２で、傾斜部３４と段部４０は接触している。そして、本発明の第１の実施形態と同様に、ばね１６は、ボール１７と段部４０に挟まれて圧縮されているので、ボール１７が付勢されている。また、段部４０付近に隙間４３を有しているので、インキが流出しやすい。
【００６３】
次に、本発明の第２の実施形態におけるボールペンについて説明する。
本発明の第２の実施形態におけるボールペンは、図５に示され、第１の実施形態におけるボールペン１のばね１６のみが異なるものであり、ばね１６以外は同じである。さらに、第２の実施形態におけるボールペンのばね５０は、図５に示されるものであり、第１の実施形態におけるボールペン１のばね１６の傾斜部３４を有しておらず、後端側棒部５１を有している。
【００６４】
すなわち、図５（ａ）に示されるように、ばね５０の後端側には、後端棒部５１が設けられている。そして、後端棒部５１は、ばね５０の後端側を軸に平行となるように略垂直に曲げられて後端側に突出した棒状の部分である。後端棒部５１の先は後端側端部５２となり、後端側端部５２はばね５０の最も後端側である。また、後端棒部５１はコイル形状ではなく、変形部である。
【００６５】
ばね５０を用いて、ボールペンを組み立てると、第１の実施形態と同様にばね５０は圧縮される。この状態が図５（ｂ），（ｃ）の状態であり、ばね５０が先栓１１に接触している。このとき、先栓１１の段部４０に、後端棒部５１の先の後端側端部５２が接触する。さらに、ばね５０の後端側は、わずかに撓んで、後端棒部５１と対称の位置が、先栓１１の段部４０に接触する。
したがって、ばね５０と段部４０には隙間４３を有しているので、インキの流れが良く、インキの充填の際、又は、インキ充填後に遠心力より内部の空気を抜く際には、空気が置換されやすく、特にばねとチップとの隙間の空気が置換されやすくなり、インキの充填が容易となる。
【００６６】
また、本発明の第３の実施形態におけるボールペンのばね５５は、図６に示される。そして、本発明の第３の実施形態におけるボールペンのばね５５は、第１の実施形態におけるボールペンのばね１６の後端側のみが異なるものであり、その他は同じである。
【００６７】
すなわち、図６（ａ）に示されるように、ばね５５の後端側には、後端Ｌ状部部５６が設けられている。そして、後端Ｌ状部５６は、ばね５５の後端側を軸に平行となるように略垂直に曲げられて後端側に突出させた垂直部５８と、棒状部５８をさらに略垂直に、ばね５５の軸に垂直に交差するようにして曲げられた水平部５７よって構成されている。水平部５７の長さは、ばね５５の増径部３５のばね外径と略同一である。そして水平部５７は、ばね５５の最も後端側である。また、後端Ｌ状部５６はコイル形状ではなく、変形部である。
【００６８】
ばね５５を用いて、ボールペンを組み立てると、第１の実施形態と同様にばね５５は圧縮される。この状態が図６（ｂ）の状態であり、ばね５５が先栓１１に接触している。このとき、先栓１１の段部４０に、後端Ｌ状部５６の水平部５７の両端が接触して維持される。
したがって、ばね５５と段部４０には隙間４３を有しているので、インキの流れが良く、インキの充填の際、又は、インキ充填後に遠心力より内部の空気を抜く際には、空気が置換されやすく、特にばねとチップとの隙間の空気が置換されやすくなり、インキの充填が容易となる。
【００６９】
また、本発明の第４の実施形態におけるボールペンのばね６０は、図７（ａ）に示される。そして、本発明の第４の実施形態におけるボールペンのばね６０は、第１の実施形態におけるボールペンのばね１６の後端側のみが異なるものであり、その他は同じである。
【００７０】
すなわち、図７（ａ）に示されるように、ばね６０の後端側には、三角形状部６１が設けられている。そして、三角形状部６１は、ばね６０の後端側の最終巻き部をコイルばねの様に円状に曲げるのではなく、３カ所で内角が約６０°となるように曲げて、その他の部分は略直線となるようにした部分である。そして、ばねを軸方向から見たときに、三角形状部６１は、増径部３５の円の内接する三角形となるような形状である。また、三角形状部６１は、ばね６０の最も後端側である。そして、三角形状部６１は、変形部である。
【００７１】
ばね６０を用いて、ボールペンを組み立てると、第１の実施形態と同様にばね６０は圧縮される。この状態が図７（ｂ）の状態であり、ばね６０が先栓１１に接触している。このとき、先栓１１の段部４０に、三角形状部６１が接触して維持される。
したがって、ばね６０と段部４０には隙間４３を有しており、インキの流れが良く、インキの充填の際、又は、インキ充填後に遠心力より内部の空気を抜く際には、空気が置換されやすく、特にばねとチップとの隙間の空気が置換されやすくなり、インキの充填が容易となる。
【００７２】
本発明の第４の実施形態の変形部である三角形状部６１の形状は、三角形であったが、段部４０の一部が接触する様な形状であれば良く、四角形等の多角形でもよく、さらに、長軸がばねの直径と等しい楕円でもよい。
【００７３】
本発明の第５の実施形態におけるボールペンのばね７０及び先栓７１は、図８（ｂ）に示される。そして、本発明の第５の実施形態におけるボールペンのばね７０及び先栓７１は、第１の実施形態におけるボールペンのばね１６の後端側と、先栓１１の段部４０付近の構造のみが異なるものであり、その他は同じである。
【００７４】
すなわち、図８（ａ）に示されるように、ばね７０の後端側には、垂直巻き部７２が設けられている。そして、垂直巻き部７２は、ばね７０の後端側が垂直方向に巻かれている。すなわち、垂直巻き部７２の一巻きを構成する面と、コイルばね部３０の一巻きを構成する面の傾斜角度は略垂直であり、垂直巻き部７２の構成する面は、ばね７０の軸上に位置している。また、垂直巻き部７２は、ばね６０の最も後端側である。
また、先栓７１には段部４０ａから後端側に軸方向に伸びる２カ所の溝部７３を有している。２カ所の溝部７３の位置は、先栓７１の軸に対して対称であり、ばね７０の垂直巻き部７２に対応する位置である。そして、ばね７０が後端側で先栓７１と接触する際には、ばね７０の後端側は前記溝部７３に挿入される。
【００７５】
ばね７０と先栓７１を用いて、ボールペンを組み立てると、第１の実施形態と同様にばね７０は圧縮される。この状態が図８（ｂ）の状態であり、ばね７０の垂直巻き部７２が先栓７１の溝部７３で接触して維持される。
したがって、ばね７０と段部４０ａには隙間４３を有しており、インキの流れが良く、インキの充填の際、又は、インキ充填後に遠心力より内部の空気を抜く際には、空気が置換されやすく、特にばねとチップとの隙間の空気が置換されやすくなり、インキの充填が容易となる。
【００７６】
本発明の第６の実施形態におけるボールペンのばね８０及び先栓８１は、図９に示される。そして、本発明の第６の実施形態におけるボールペンのばね８０及び先栓８１は、第１の実施形態におけるボールペンのばね１６の後端側と、先栓１１の段部４０付近の構造のみが異なるものであり、その他は同じである。
【００７７】
すなわち、図９（ａ）に示されるように、ばね８０の後端側には、傾斜部３４や、後端棒部５１等の変形部が無い構造である。
また、先栓８１には段部４０ｂを有し、さらに、段部４０ｂには先端側に向かって伸びる凸部８２が１カ所設けられている。
【００７８】
ばね８０と先栓８１を用いて、ボールペンを組み立てると、第１の実施形態と同様にばね８０は圧縮される。この状態が図９（ｂ），（ｃ）の状態であり、ばね８０の後端側が先栓８１の段部４０ｂが接触する。このとき、先栓８１の段部４０ｂには凸部８２が設けられているので、ばね８０の後端側は凸部８２に接触する。さらに、ばね５０の後端側が、わずかに撓んで、凸部８２と対称の位置で、先栓１１の段部４０ｂとばね５０の後端側が接触する。そして、ばね５０の後端側が傾斜する。
したがって、ばね８０と段部４０ｂには隙間４３を有しているので、インキの流れが良く、インキの充填の際、又は、インキ充填後に遠心力より内部の空気を抜く際には、空気が置換されやすく、特にばねとチップとの隙間の空気が置換されやすくなり、インキの充填が容易となる。
【００７９】
さらに、本発明の第７の実施形態におけるボールペンのボールペンチップ１０’は図１２に示されるものであり、ボールペンチップ本体１５の後端側をかしめて変形させることによって、ばね１６を圧縮させている。すなわち、ばね１６の挿入後に、ボールペンチップ本体１５の後端側をかしめて内側に変形させてかしめ部４４を設け、さらに、ばね１６をかしめ部４４に接触させて、かしめ部４４とボール１７により圧縮して、ボール１７を先端側に付勢する。この場合には、かしめ部４４が本願における当接部となる。また、かしめ部４４は、ボールペンチップ本体１５の内側であり、塗布液流路内に位置している。
【００８０】
ボールペンチップ１０’のかしめは、ばね１６をボールペンチップ本体１５に挿入した後に行われる。
また、かしめ部４４を当接部とする場合には、傾斜部の代わりに上記したいずれの変形部も用いることが可能である。そして、本発明の第７の実施形態によれば、ボールペンチップ１０を組んだ状態で持ち運びや移動が可能であり、ボールペンを製造しやすい。
【００８１】
本発明の第８の実施形態のボールペンのボールペンチップのばね８５は、図１４〜１６に示されている。そして、ばね８５の後端側には変形部８４が設けられており、変形部８４の直近に位置するばね８５の変形部接続部８６との間には、第２の隙間８７が設けられている。すなわち、変形部８４の内側には、変形部接続部８６の外側にはみ出している第２のはみ出し部８７ａを有している。そして、第２のはみ出し部８７ａによって、変形部８４の内側からばね８５の外側に通じる第２の隙間８７が形成されている。
【００８２】
図１５に示されるように、変形部８４は、軸方向から見ると陸上競技のトラックのように、長方形の一対の対辺に半円が結合したような形状であり、半円の頂部８４ａ同士の長さである一方の幅が、他方の幅に比べて比較的長い形状である。この形状は、一対の長辺部７７を有し、長辺部７７同士の距離が長辺部７７の長さより短い形状である。また、変形部８４は、傾斜しておらず、ばね８５の軸に対して略垂直である。
【００８３】
第２のはみ出し部８７ａの面積Ｓ２は、図１５における斜線部であり、具体的には約０．３２ｍｍ２　ある。
【００８４】
ばね８５の変形部接続部８６は、図１６（ｂ）、（ｃ）に示されるように、変形部８４に向かって縮径しており、ばねの巻き外径を後端側に向かうにつれて小さくなるように巻かれている。したがって、変形部接続部８６の外径は、ばね８５のコイルばね部３０の外径よりも小さく、変形部接続部８６の後端側の外径は特に小さい。そのため、第２の隙間８７の面積が縮径しないものに比べて大きくなる。
また、変形部接続部８６の外径は、先栓１１の奥側孔部１１ｃより小さい。
【００８５】
第８の実施形態のボールペンの組み立ては、第１の実施形態のボールペンと同様に行われるものであり、組み立てられた状態では、図１６に示されるように、ばね８５の後端側に位置する変形部８４が先栓１１の段部４０と接触する。このとき、変形部８４と段部４０との接触は、頂部８４ａ付近が接触して、部分的に接触している。
変形部８４の近傍であり変形部８４よりも上流側の塗布液流路の投影面には、変形部８４の外形からはみ出す第１のはみ出し部８８ａを有している。そして、第１のはみ出し部８８ａにより、変形部８４と段部４０の間からばね８５の外側に通じる第１の隙間８８が形成されている。
また、本実施形態においては、第１のはみ出し部８８ａが変形部接続部８６の外側にあるので、第１の隙間８８の向きが略軸方向に向かっている。
【００８６】
第１のはみ出し部８８ａの面積Ｓ１は、図１６（ａ）における斜線部である。また、第１のはみ出し部８８ａの面積Ｓ１と第２のはみ出し部８７ａの面積Ｓ２の合計は、０．０５ｍｍ２　以上であり、０．２ｍｍ２　以上であることが好ましい。
【００８７】
ばね８５を用いた第８の実施形態のボールペンには、隙間８８、８７を有しているので、図１６（ｂ）、（ｃ）に示された矢印の方向のように、隙間８８、８７に塗布液が流れることができる。そして、ばね８５の外側とのインキ等の塗布液を充填する際に、ばね８５の外側にも充填することが容易となり、塗布液が充満して空気が残りにくい。
特に、隙間８８、８７は、略軸方向に向いており、ばね８５の後端側から先端側へ軸方向に塗布液を流すことにより、ばね８５の外側に塗布液の充填を容易に行うことができる。
【００８８】
また、図１７に示されるばね９０を用いた第９の実施形態のボールペンでも、塗布液の充填を行うことができる。すなわち、第９の実施形態のボールペンは、第８の実施形態のボールペンと比べてばね９０以外は同じであり、またばね９０は、図１７に示されるように、ばね９０の変形部接続部８６が縮径していない点を除いて同じものである。塗布液の充填時などの際には、隙間８７，８８によって、図１７（ｂ）、（ｃ）に示されている矢印の方向に塗布液が流れて、ばね９０の外側にも容易に充填することができる。
【００８９】
また、第１０の実施形態として、図２５に示されるような、第８の実施形態に用いたばね８５と、上流側流路の内径が小さい先栓９８を用いたものを採用することもできる。本実施形態では、ばね８５の面積Ｓ１は０．３２ｍｍ２　であり、充分に大きいので、面積Ｓ２が０ｍｍ２　となっても、面積Ｓ１と面積Ｓ２との合計は、約０．３２ｍｍ２　であり、０．２ｍｍ２　以上となって、インキの流路を確保することができる。
【００９０】
そして、第１のはみ出し部８８ａ及び第２のはみ出し部８７ａの両方又はいずれか一方有し、第１の隙間８８又は第２の隙間８７が設けられていれば良く、かかる場合には、ばね８５の外側と先栓１１，９８との隙間に塗布液が流れやすくなる。
【００９１】
上記の第８及び第９の実施形態のばね８５，９０は、後端側の形状がトラック形状であったが、これに限らず、図１８〜２４に示されるような形状でもよく、ばね８５，９０と同様に、隙間８７，８８を設けることができる。
図１８、図１９、図２０（ａ）に示される変形部９１，９２，９３は一対の長辺部７７を有し、長辺部７７同士の距離が長辺部７７の長さより短い形状であり、変形部９１の形状は楕円状であり、変形部９２の形状は長方形状であり、変形部９３の形状はトラック形である長尺状の形状であり、長辺部７７の中間に、内側に向かって凹んでいる凹み部７８が設けられている。
図２０（ｂ）に示される変形部９３ａの形状は略「８」の字状であり、中央付近が接触して接触部９３ｂを有している。そして、接触部９３ｂの外側が凹み部７８となり、図２０（ａ）に示される変形部９３と比較して、凹み部７８を大きくすることができる。
図２１〜図２４に示される変形部９４〜９７は周方向に凹凸状であり、変形部９４は３カ所が凸状であって凸状の先端が曲線状となっている形状であり、変形部９５は４カ所が凸状であって凸状の先端が曲線状となっている形状であり、変形部９６は内側に凸状の３本の曲線をつないで囲んだような形状であり、変形部９７は内側に凸状の４本の曲線をつないで囲んだような形状である。
【００９２】
本発明の実施形態におけるボールペンでは、密巻き部３３を有しているものであったが、これは無くてもよく、また、密巻き部３３が２カ所以上あっても構わない。また、密巻き部３３の位置は中央付近であったが、先端側寄り又は後端側寄りでも構わない。
また、本発明の実施形態におけるボールペンでは、ばね１６には増径部３５を有していたが、増径部３５が無く、外径が全体に一様でも良い。また、増径部３５の後端側に変形部接続部８６を設けて、変形部接続部８６が変形部８４に向かって縮径してもよい。
さらに、本発明の実施形態におけるボールペンでは、ばね１６の密巻き部３２の巻き数は、７巻きであったが、１〜７巻きが好ましい。密巻き部３３の巻き数が８巻き以上であると、粗巻き部３２の長さが小さくなるので、付勢力が小さくなってしまう。
【００９３】
本発明の実施形態におけるボールペンでは、インキを使用したものであったが、他の塗布液でも良い。
【００９４】
【発明の効果】
本発明は、上述の通り構成されているので、チップの内部にばねを設け、ボールを内側から外側に付勢した塗布具において、ばねによる塗布液の流れの妨げを小さくし、また、塗布液の充填の際にチップ内部に空気が残ることなく、塗布液のかすれを防止することができる。
【図面の簡単な説明】
【図１】本発明の第１の実施形態におけるボールペンの正面図と正面から見た断面図である。
【図２】本発明の第１の実施形態におけるボールペンチップ本体の図であり、（ａ）は正面から見た断面図であり、（ｂ）はばねの正面図である。
【図３】本発明の第１の実施形態におけるボールペンの先端部分の正面から見た断面図である。
【図４】本発明の第１の実施形態におけるボールペンの図であり、（ａ）が、ばねの無負荷状態での斜視図であり、（ｂ）が、ばねと先栓の接触部分の斜視図である。
【図５】本発明の第２の実施形態におけるボールペンの図であり、（ａ）が、ばねの無負荷状態での後端側の斜視図であり、（ｂ）が、ばねと先栓の接触部分を示した斜視図であり、（ｃ）が、ばねと先栓の接触部分を示した断面図である。
【図６】本発明の第３の実施形態におけるボールペンの斜視図であり、（ａ）が、ばねの無負荷状態での斜視図であり、（ｂ）が、ばねと先栓の接触部分の斜視図である。
【図７】本発明の第４の実施形態におけるボールペンの斜視図であり、（ａ）が、ばねの無負荷状態での斜視図であり、（ｂ）が、ばねと先栓の接触部分の斜視図である。
【図８】本発明の第５の実施形態におけるボールペンの斜視図であり、（ａ）が、ばねの無負荷状態での斜視図であり、（ｂ）が、ばねと先栓の接触部分の斜視図である。
【図９】本発明の第６の実施形態におけるボールペンの図であり、（ａ）が、ばねの無負荷状態での後端側の斜視図であり、（ｂ）が、ばねと先栓の接触部分を示した斜視図であり、（ｃ）が、ばねと先栓の接触部分を示した断面図である。
【図１０】本発明の第１の実施形態の変形例におけるボールペンの先端部分の正面から見た断面図である。
【図１１】本発明の第１の実施形態の変形例におけるボールペンの図であり、（ａ）が、ばねの無負荷状態での斜視図であり、（ｂ）が、ばねと先栓の接触部分の斜視図である。
【図１２】本発明の第７の実施形態におけるボールペンチップ本体の正面から見た断面図である。
【図１３】従来技術におけるボールペンの先端部分の正面から見た断面図である。
【図１４】本発明の第８の実施形態におけるばねの斜視図である。
【図１５】本発明の第８の実施形態におけるばねの後端側からみた正面図である。
【図１６】本発明の第８の実施形態におけるばね及び先栓の平面図であり、（ａ）は後端側からみた正面図、（ｂ）はＡＡ面における断面図、（ｃ）はＢＢ面における断面図である。
【図１７】本発明の第９の実施形態におけるばね及び先栓の平面図であり、（ａ）は後端側からみた正面図、（ｂ）はＡＡ面における断面図、（ｃ）はＢＢ面における断面図である。
【図１８】変形部を形状を変えたばねの正面図である。
【図１９】変形部を形状を変えたばねの正面図である。
【図２０】変形部を形状を変えたばねの正面図である。
【図２１】変形部を形状を変えたばねの正面図である。
【図２２】変形部を形状を変えたばねの正面図である。
【図２３】変形部を形状を変えたばねの正面図である。
【図２４】変形部を形状を変えたばねの正面図である。
【図２５】本発明の第１０の実施形態におけるばね及び先栓の平面図であり、（ａ）は後端側からみた正面図、（ｂ）はＡＡ面における断面図、（ｃ）はＢＢ面における断面図である。
【符号の説明】
１　　ボールペン（塗布具）
１０，１０’　ボールペンチップ（塗布具用チップ）
１５　ボールペンチップ本体
１６，１６’，５０，６０，７０，８０，８５，９０　ばね
１７　ボール
２０　ボールハウス
３０　コイルばね部
３２　粗巻き部
３３　密巻き部
３４　傾斜部
３５　増径部
４０　段部（当接部）
４４　かしめ部（当接部）
７２　垂直巻き部
７３　溝部
８２　凸部
８４，９１，９２，９３，９４，９４，９５，９６，９７　変形部
８６　変形部接続部
８７　第２の隙間
８７ａ　第２のはみ出し部
８８　第１の隙間
８８ａ　第１のはみ出し部
【図１】
2004142408.tif 000003
【図２】
2004142408.tif 000004
【図３】
2004142408.tif 000005
【図４】
2004142408.tif 000006
【図５】
2004142408.tif 000007
【図６】
2004142408.tif 000008
【図７】
2004142408.tif 000009
【図８】
2004142408.tif 000010
【図９】
2004142408.tif 000011
【図１０】
2004142408.tif 000012
【図１１】
2004142408.tif 000013
【図１２】
2004142408.tif 000014
【図１３】
2004142408.tif 000015
【図１４】
2004142408.tif 000016
【図１５】
2004142408.tif 000017
【図１６】
2004142408.tif 000018
【図１７】
2004142408.tif 000019
【図１８】
2004142408.tif 000020
【図１９】
2004142408.tif 000021
【図２０】
2004142408.tif 000022
【図２１】
2004142408.tif 000023
【図２２】
2004142408.tif 000024
【図２３】
2004142408.tif 000025
【図２４】
2004142408.tif 000026
【図２５】
2004142408.tif 000027